(57)【要約】【課題】建物の美観を損なわず、かつ施工性にも優れた水切具を得る。【解決手段】水切具１１は、外壁パネル２１に取り付けられるブラケット３１と、ブラケット３１に取り付けられる水切本体４１とを備えている。ブラケット３１には、取付基部３２の横辺部３２ｂから下方に延びる支持板部３４が一体に形成されている。水切本体４１には、ブラケット３１へ取り付けられた状態でブラケット３１を隠す水切板部４２が一体に形成されている。支持板部３４及び水切板部４２には、上下一対の支持アーム部３５，４２が各々ほぼ同じ間隔を隔てて上下にそれぞれ形成されている。そして、両支持アーム部３５，４２の端部には、互いを係合状態とする係合部３６，４４が形成されている。【選択図】図３
2008196252.tif 000002
【特許請求の範囲】
【請求項１】
外装材と外壁下地材とが予め組み付けられてなる外壁パネルの下端部に設けられる水切具であって、
前記外壁パネルの下端部よりも下方に垂れ下がった状態で前記外壁下地材に対して取り付けられるブラケットと、
上下方向に延びる水切板部を有し、その水切板部の背面側にて前記ブラケットを隠すように同ブラケットに対して取り付けられる水切本体と
を備えていることを特徴とする水切具。
【請求項２】
前記外壁パネルの下端部に沿って設けられる水切具であって、
前記水切本体は長尺状をなす一方、前記ブラケットは、少なくとも前記外壁下地材に対する取付代を有する長さの短尺状をなしている請求項１に記載の水切具。
【請求項３】
前記ブラケットは、前記外壁下地材にビスにより固定されることを特徴とする請求項１又２に記載の水切具。
【請求項４】
前記水切本体には、前記水切板部の背面側に延びる起立部が設けられ、
前記ブラケットには、前記水切板部に対向しかつ前記外壁パネルへの取り付け状態で当該外壁パネルから垂れ下がる垂下板部が設けられるともに、その垂下板部に、前記水切板部の起立部に対して結合可能とされる結合受け部が設けられている請求項１乃至３のいずれかに記載の水切具。
【請求項５】
前記水切本体の起立部と前記ブラケットの結合受け部には、少なくとも一方の弾性変形により結合状態となる係合部がそれぞれ設けられている請求項４に記載の水切具。
【請求項６】
前記水切本体の起立部及び前記ブラケットの結合受け部にそれぞれ設けられた各係合部には、ブラケットに対する水切本体の着脱時において係合状態及び係合解除状態になるのを補助するための傾斜面が形成されている請求項５に記載の水切具。
【請求項７】
前記水切本体には、前記水切板部の背面側に上下２カ所に離間して前記起立部が設けられ、
前記ブラケットには、前記起立部の位置に合わせて前記結合受け部が設けられている請求項５に記載の水切具。
【請求項８】
前記水切本体の起立部は、当該水切本体の長手方向に同一断面形状で延びる連続体にて形成されている請求項４乃至７のいずれかに記載の水切具。
【請求項９】
前記水切本体の水切板部には、前記ブラケットを下方から覆う下板部が設けられていることを特徴とする請求項１乃至７のいずれかに記載の水切具。
【請求項１０】
前記水切本体には、鼠等の小動物の侵入を阻止する大きさの多数の小穴を有する鼠返し部が設けられている請求項１乃至９のいずれかに記載の水切具。
【請求項１１】
請求項１乃至１０のいずれかに記載の水切具が取り付けられる建物であって、
前記外壁パネルの下端部に、前記ブラケットが互いに離間して複数取り付けられ、その複数のブラケットに架け渡すようにして前記水切本体が取り付けられている建物。
【請求項１２】
前記ブラケットは、隣接する２枚の外壁パネルの繋ぎ合わせ部に取り付けられている請求項１１に記載の建物。
【請求項１３】
前記ブラケットは、２つの前記水切本体の繋ぎ合わせ部に設けられ、１つのブラケットに対して２つの水切本体の端部が支持されている請求項１１又は１２に記載の建物。
【発明の詳細な説明】
【技術分野】
【０００１】
本発明は、水切具及び建物に関する。
【背景技術】
【０００２】
住宅等の建物において、外壁を伝って流下する雨水等が外壁と基礎との隙間から建物内部に浸入することを防止するために、外壁の下端部分に水切具を設ける技術が知られている。これによれば、外壁を伝って流下してきた雨水等を建物内部に浸入させることなく水切具の下端から流下させることができる。
【０００３】
ここで一般には、水切具は外壁にビスを用いて取り付けられる。この場合、外壁の下端部と基礎との間は狭小であり、その取り付け作業が困難であるという問題があった。また、水切具を外壁に取り付けるビスが屋外に露出していると、雨水等によりビスが錆びたり、ビスの取付間隔が不均等な箇所（ビスピッチの乱れ）が見えて建物の美観が損なわれるといった問題があった。
【０００４】
上記問題の対策として、例えば、在来工法において、水切具を外壁下地にビス固定し、さらにその屋外側にビスを覆うようにして外装材を取り付ける取付構造が提案されている（例えば、特許文献１参照）。これによれば、ビスは外装材によって覆われるため、屋外側から直接見えることはない。しかし、このような在来工法による住宅の場合であれば、上記の取付構造を採り得ることは可能であるが、工業化住宅の場合には不可能である。すなわち、工業化住宅の場合には、外装材の背面側に外壁下地を予め組み付けた外壁パネルが用いられる。この場合、外装材と外壁下地との間に隙間がなく、外壁下地に水切具をビス固定することができないからである。
【０００５】
また、ビスを用いることなく水切具を外壁パネルに取り付けることのできる取付構造が提案されている。例えば、特許文献２の水切具は、屋外側へ延びる水切本体と、バネ性を有するバネ板により形成された水切押さえ具とを備えている。そして、この水切本体を、外装材よりも下方に突出している外壁下地の屋外側側面に当接させるとともに、水切押さえ具を基礎の天端と外壁パネルとの間に配することにより、水切本体を外壁下地の屋外側側面に押し付けて保持している。これにより、ビス止め作業をなくし施工容易性を向上させることができるものとされている。
【０００６】
しかし、上記特許文献２の水切具では、水切押さえ具を外壁パネルと基礎の天端との狭い間に配する取付作業が困難である。また、その取付作業が不十分である場合には、水切本体の取付状態が不安定になるという懸念がある。
【特許文献１】特開２００１−１５２６５５号公報
【特許文献２】特開平９−１３５１５号公報
【発明の開示】
【発明が解決しようとする課題】
【０００７】
本発明は、上記事情を鑑みてなされたものであり、建物の美観を損なわず、かつ施工性にも優れた水切具、及びその水切具を備えた建物を提供することを主たる目的とするものである。
【課題を解決するための手段】
【０００８】
本発明は、上記課題を解決するために、以下の手段を採用した。
【０００９】
本発明は、外装材と外壁下地材とが予め組み付けられている外壁パネルの下端部に設けられる水切具であって、前記外壁パネルの下端部よりも下方に垂れ下がった状態で前記外壁下地材に対して取り付けられるブラケットと、上下方向に延びる水切板部を有し、その水切板部の背面側にて前記ブラケットを隠すように同ブラケットに対して取り付けられる水切本体とを備えることを特徴とする。
【００１０】
一般に、外壁パネルの下端部において水切具が取り付けられる部位（本発明ではブラケットが設けられる部位）は狭小である。また特に、工業化住宅等で用いられる外壁パネルは、外装材と外壁下地材とが予め組み付けられており、外壁下地材に水切具を取り付ける場合に多くの制約が生じる。そのため、水切具の取り付け作業が困難になっている。これに対し、本発明では、ブラケットによって取り付け部位が拡張されるため、その取り付け作業が容易となる。また、水切本体の水切板部の背面側にてブラケットが隠されるため、ブラケットが屋外から直接見えることはなく建物の美観が損なわれることもない。
【００１１】
また、前記水切本体は長尺状をなす一方、前記ブラケットは、少なくとも前記外壁下地材に対する取付代を有する長さの短尺状をなしていることが望ましい。すなわち、前述のとおり外壁パネルの下端部における水切具の取り付け部位は狭小であるが、外壁パネルに先付けされるブラケットは短尺で取り扱いが容易であるため、ブラケットについて、外壁パネルに対する取り付け作業が容易となる。また、ブラケットによって取り付け部位が拡張されているため、水切本体について、それが長尺であってもその取り付け作業が容易となる。
【００１２】
前記ブラケットは、前記外壁下地材にビスにより固定されることが望ましい。この場合、ビスによってブラケットを外壁下地材に強固に固定することができる。上記のとおり、ブラケットが水切板部により隠されることから、ビスに雨水等が直接かかることはない。その結果、ビスが錆びる等の不都合が抑制され、水切具の品質を好適に維持することができる。さらに、ビスピッチの乱れが生じる場合であっても、建物の美観が損なわれることがない。
【００１３】
前記水切本体には、前記水切板部の背面側に延びる起立部が設けられ、前記ブラケットには、前記水切板部に対向しかつ前記外壁パネルへの取り付け状態で当該外壁パネルから垂れ下がる垂下板部が設けられるともに、その垂下板部に、前記水切板部の起立部に対して結合可能とされる結合受け部が設けられているとよい。
【００１４】
上記構成によれば、水切本体の水切板部の背面側に設けられた起立部と、ブラケットの垂下板部に設けられた結合受け部とによって水切本体とブラケットとが結合される。この場合、水切本体の水切板部は、水切を行うのに十分な上下寸法を有しているため、その背後において十分な結合スペースが確保できる。
【００１５】
前記水切本体の起立部と前記ブラケットの結合受け部には、少なくとも一方の弾性変形により結合状態となる係合部がそれぞれ設けられているとよい。この場合、ブラケットに押し付けることによって水切本体を容易に取り付けることができる。
【００１６】
前記水切本体の起立部及び前記ブラケットの結合受け部にそれぞれ設けられた各係合部には、ブラケットに対する水切本体の着脱時において係合状態及び係合解除状態になるのを補助するための傾斜面が形成されているとよい。本構成では、水切本体及びブラケットにそれぞれ設けられた各係合部は、傾斜面に案内されながら係合状態又は係合解除状態となる。係る場合、ブラケットに対して水切本体を装着する際にその装着が容易になるばかりか、ブラケットから水切本体を離脱させる際にその離脱が容易となる。したがって、水切本体が汚れたり破損したりした場合に、その交換作業を容易に行うこともできる。
【００１７】
前記水切本体には、前記水切板部の背面側に上下２カ所に離間して前記起立部が設けられ、前記ブラケットには、前記起立部の位置に合わせて前記結合受け部が設けられているとよい。この場合、水切本体がブラケットに取り付けられた状態では、水切本体が上下２カ所の起立部によって支持されるため、水切本体を安定した状態で保持できる。
【００１８】
前記水切本体の起立部は、当該水切本体の長手方向に同一断面形状で延びる連続体にて形成されているとよい。水切本体が上記のとおり連続体で形成されることにより、当該水切本体のいずれの部位であっても、ブラケットに対する取り付けを行うことができる。また、ブラケットに対して一旦取り付けた状態で、その長手方向へのスライド移動が可能となる。したがって、水切本体の位置調整等を容易に行うことができる。
【００１９】
前記水切本体の水切板部には、前記ブラケットを下方から覆う下板部が設けられているとよい。この場合、水切具が建物に取り付けられた状態において、下板部によって外壁パネルと基礎との隙間が狭小化される。かかる構成では、下板部の存在によって、水切本体を外壁パネルに直接取り付けることが困難になるが、上記のとおりブラケットを先付けする構成を採用することにより、水切本体の取り付け作業に支障が生じることもない。
【００２０】
前記水切本体には、鼠等の小動物の侵入を阻止する大きさの多数の小穴を有する鼠返し部が設けられているとよい。これにより、水切具に、水切機能に加えて、床下等に対する鼠等の小動物の侵入を阻止する小動物侵入阻止機能を付加することができる。
【００２１】
上述した特徴的な構成を有する水切具が取り付けられる建物にあっては、前記外壁パネルの下端部に、前記ブラケットが互いに離間して複数取り付けられ、その複数のブラケットに架け渡すようにして前記水切本体が取り付けられているとよい。これにより、建物において、水切本体を安定した状態で保持することができる。
【００２２】
建物においては、次の（１），（２）のごとくブラケットが取り付けられているとよい。
【００２３】
（１）ブラケットは、隣接する２枚の外壁パネルの繋ぎ合わせ部に取り付けられているとよい。ここで、水切本体は、複数の外壁パネルを跨ぐようにして外壁パネルの下端部に取り付けられるが、その複数の外壁パネルの繋ぎ合わせ部分にブラケットが設けられることにより、各外壁パネル間で位置ずれ（ブラケット取付部位のずれ）が生じたとしても、水切本体を適正な状態で保持できる。
【００２４】
（２）ブラケットは、２つの水切本体の繋ぎ合わせ部に設けられ、１つのブラケットに対して２つの水切本体の端部が支持されているとよい。この場合、水切本体の端部の浮きが防止される。
【発明を実施するための最良の形態】
【００２５】
［第１の実施形態］
以下に、第１の実施形態について図面を参照しつつ説明する。第１の実施形態において、建物は、鉄骨軸組工法により建造された建物であり、その建物の外壁パネルに水切具が取り付けられるものとなっている。なお、図１は第１の実施形態における水切具の概要を示す斜視図、図２は水切具が建物に取り付けられている状態を示す縦断面図、図３（ａ）はブラケットと水切本体とが離れている状態を示す縦断面図、（ｂ）はブラケットと水切本体とが結合されている状態を示す縦断面図である。
【００２６】
図２に示すように、建物１０の基礎１２の天端には、柱１３を固定する矩形平板状の柱脚プレート１４が設けられている。柱脚プレート１４は、柱１３ごとに複数設けられ、その複数の柱脚プレート１４間に架け渡すようにして、断面Ｌ字形状のアングル１５がボルト１６により固定されている。アングル１５は、直立辺が屋外側に位置するようにして柱脚プレート１４に設けられている。
【００２７】
アングル１５の直立辺には、外壁パネル２１がボルト１７により固定されている。これにより、外壁パネル２１が建物１０に取り付けられている。外壁パネル２１は、外装材２２とその背面側に取り付けられる下地フレーム２３とから構成されている。下地フレーム２３は、複数本の溝形鋼により構成され、そのうち下フレーム材２３ａの一部が外装材２２の下縁よりも下方にはみ出して取り付けられている。本実施形態では、この下フレーム材２３ａのはみ出している部分の高さ寸法（図示の上下寸法）が１０ｍｍに設定されている。ここで、外壁パネル２１は、基礎１２の側面部（屋外側側面）よりも屋外側に設けられている。
【００２８】
そして、下フレーム材２３ａのはみ出し部分に水切具１１が取り付けられている。水切具１１は、いずれもアルミニウム製の押し出し成型品よりなるブラケット３１と水切本体４１とを有する構成となっており、建物１０においてはそれらブラケット３１と水切本体４１とが一体化された状態で水切具１１が外壁パネル２１に取り付けられるようになっている。
【００２９】
以下、水切具１１の詳細を図３により説明する。なお、以下の説明では、図３に示す向き、すなわち外壁パネル２１に取り付けられる向きを基準として上下方向を記述する。
【００３０】
ブラケット３１は、外壁パネル２１の下フレーム材２３ａに固定され、かつ水切本体４１を着脱可能に支持するものである。ブラケット３１は断面略Ｌ字状をなす取付基部３２を有しており、取付基部３２の垂直部分が縦辺部３２ａ、水平部分が横辺部３２ｂとなっている。ブラケット３１を下フレーム材２３ａに取り付ける場合には、取付基部３２の縦辺部３２ａ及び横辺部３２ｂが下フレーム材２３ａの２辺（ウエブ及びフランジ）に当接され、その状態で縦辺部３２ａにて金属製のビス６１（小ネジ）による締結固定が行われるようになっている。なお、取付基部３２の縦辺部３２ａは、外装材２２に干渉することなく取付基部３２を下フレーム材２３ａのはみ出し部分に取り付けることができかつビス固定が可能となる寸法にて形成されている。また、横辺部３２ｂの幅寸法（図示の横寸法）は縦辺部３２ａの高さ寸法（図示の上下寸法）よりも長く形成されている。このため、ブラケット３１が下フレーム材２３ａに安定した状態で締結固定させることができる。
【００３１】
一方、水切本体４１は、上下方向に水切面を形成する水切板部４２を有している。この水切板部４２は、少なくとも外壁パネル２１（外装材２２）の下端と基礎１２の天端との間にできる隙間を隠すことができる長さ寸法（図示の上下寸法）を有するものであり、垂直面部４２ａの上端部には、背後側（水切面とは逆側）に傾斜する傾斜面部４２ｂが形成されている。
【００３２】
水切本体４１は長尺状に形成されている。また、ブラケット３１は、水切本体４１に比べて短尺に形成されている。ブラケット３１は、２つの水切本体４１の繋ぎ合わせ部分等で用いられるものであり、その繋ぎ合わせ部分で２つの水切本体４１が共に連結できるだけの幅寸法で形成されている。
【００３３】
また、ブラケット３１と水切本体４１とを一体化するための構成として、これら各部材には互いを支持するための支持構造が設けられており、以下、その支持構造を詳しく説明する。
【００３４】
ブラケット３１において、取付基部３２にはその下方に延びる支持板部３４が一体に形成されており、その支持板部３４に上下一対の支持アーム部３５が形成されている。また、水切本体４１において、水切板部４２には、その背面側（すなわち、ブラケット側）に上下一対の支持アーム部４３が一体に形成されている。なお以下の説明では、ブラケット３１に設けられた支持アーム部３５を「ブラケット側アーム部３５」、水切本体４１に設けられた支持アーム部４３を「本体側アーム部４３」と称する。
【００３５】
ブラケット側アーム部３５は、ブラケット３１の長手方向に同一断面形状で延びる連続体にて形成されている。本体側アーム部４３も同様に、水切本体４１の長手方向に同一断面形状で延びる連続体にて形成されている。
【００３６】
また、ブラケット側アーム部３５と本体側アーム部４３とは、各々ほぼ同じ間隔を隔てて上下に設けられている。各支持アーム部３５，４３の先端部には互いを係合状態とする係合部３６，４４が形成されている。この場合、ブラケット側アーム部３５においては、上下２つの係合部３６が互いに逆側（いずれも外側）に向けて傾斜する傾斜部として形成されている。すなわち、上側の係合部３６は上方に向けて傾斜し、下側の係合部３６は下方に向けて傾斜している。各係合部３６には、内側に向けて突出する断面略台形状の係合突起部３６ａが形成されている。
【００３７】
本体側アーム部４３においては、上下２つの係合部４４が互いに逆側（いずれも内側）に向けて折れ曲がった折り曲げ部として形成されている。すなわち、上側の係合部４４は下方に向けて折れ曲がり、下側の係合部４４は上方に向けて折れ曲がっている。各係合部４４は、ブラケット側アーム部３５の係合部３６に合わせて折り曲げ形成されており、その折り曲げにより形成された係合凹部４４ａに係合突起部３６ａが入り込む構成となっている。係合凹部４４ａは、ブラケット側アーム部３５の係合突起部３６ａの形状、大きさに合わせて形成されている。
【００３８】
各係合部４４の先端部は、互いに逆側（いずれも内側）に向けて傾斜するガイド部４４ｂとなっている。ガイド部４４ｂの傾斜の向きは、ブラケット側アーム部３５に形成した係合部３６の傾斜の向きと逆であり、このガイド部４４ｂにより、ブラケット側アーム部３５と本体側アーム部４３とを結合させる際において、ブラケット側アーム部３５の上下２つの係合部３６の間に本体側アーム部４３の上下２つの係合部４４が案内されるようになっている。
【００３９】
ブラケット３１と水切本体４１とを一体化させる場合には、ブラケット３１に形成されている上下一対のブラケット側アーム部３５の間に、水切本体４１に形成されている上下一対の本体側アーム部４３を差し入れるようにして、各支持アーム部３５，４３の先端同士を接触させてその状態で水切本体４１をブラケット３１に押し付ける。これにより、ブラケット側アーム部３５と本体側アーム部４３との弾性変形を伴いつつ、各アーム部３５，４３の係合部３６，４４が係合される。このとき、本体側アーム部４３の係合凹部４４ａにブラケット側アーム部３５の係合突起部３６ａが入り込んだ状態となる。
【００４０】
ブラケット３１と水切本体４１とが一体化された図３（ｂ）の状態では、上下一対のブラケット側アーム部３５の係合部３６により、同じく上下一対の本体側アーム部４３の係合部４４が挟まれているため、上下方向に安定した状態で水切本体４１がブラケット３１に支持される。また、ブラケット側アーム部３５の係合部３６に形成した係合突起部３６ａが、本体側アーム部４３の係合部４４に形成した係合凹部４４ａに入り込むため、前後方向（着脱方向）にも安定した状態で水切本体４１がブラケット３１に支持される。
【００４１】
さらに、水切本体４１は、上下方向及び前後方向には安定した状態でブラケット３１に支持されるが、横方向（水切本体４１の長手方向）には支持されない構成となっているため、水切本体４１をブラケット３１に装着した状態で、同水切本体４１を横方向（水切本体４１の長手方向）にスライドさせることが可能となっている。
【００４２】
また、ブラケット側アーム部３５及び本体側アーム部４３の各係合部３６，４４には、ブラケット３１に対する水切本体４１の着脱時において係合状態及び係合解除状態になるのを補助するための傾斜面（図３（ａ）に示すＦ１，Ｆ２）が形成されているため、この傾斜面に案内されながら各係合部３６，４４が係合状態又は係合解除状態となる。したがって、ブラケット３１に対して水切本体４１を装着する際にその装着が容易になるばかりか、ブラケット３１から水切本体４１を離脱させる際にその離脱が容易となるようになっている。
【００４３】
水切本体４１において、水切板部４２の下端部付近にはその背後に延びる下面板部４６が一体に形成されている。下面板部４６は、その端部と基礎１２との隙間において床下換気が行える程度の長さ寸法（奥行寸法）に設定されている。下面板部４６には、鼠返し取付部４７が一体に形成されている。鼠返し取付部４７は、下面板部４６に対して垂直に立ち上がる立ち上がり部４７ａと、その上端より背面側（ブラケット側）へ延びる固定部４７ｂとを有している。固定部４７ｂには、鋼板製の鼠返し板部４８が設けられている。鼠返し板部４８には、図１に示すように、外壁パネル２１の延びる方向に所定間隔をおいて断面矩形状の通気孔４８ａが複数形成されている。これにより、床下の湿った空気が通気孔４８ａを通って屋外へ排出され好適に床下換気が行われる。
【００４４】
次に、水切具１１の建物１０への取付け手順について、図１、図２、図４及び図５を参照しながら説明する。なお、図４はブラケット３１の配置例を示す平面図、図５は水切本体４１のブラケット３１への取付け手順を示す斜視図である。また、ここでは建物１０の直線部への取付け手順を例に説明する。
【００４５】
まずは、図１及び図２に示すように、ブラケット３１の取付基部３２を下フレーム材２３ａのはみ出し部分の屋外側角部に当接させて、縦辺部３２ａの左右２箇所にてビス６１によりブラケット３１を下フレーム材２３ａに取り付ける。このとき、ブラケット３１は、下フレーム材２３ａのはみ出し部分、すなわち比較的狭小な部位に取り付けられるが、水切本体４１に比べて相当に小さい部材であるため、その取り扱いが容易であり、取り付け作業の煩わしさが解消されている。
【００４６】
ここで、下フレーム材２３ａには複数のブラケット３１が取り付けられ、その際、以下の（１）〜（３）のいずれかに相当する部位にブラケット３１がそれぞれ取り付けられる。なお、図４は、外壁パネル２１に対するブラケット３１の取付位置を示す平面図である。
（１）２枚の外壁パネル２１の繋ぎ合わせ部分（図４の３１Ａ）。
（２）２つの水切本体４１の繋ぎ合わせ部分（図４の３１Ｂ）。
（３）ブラケット３１の設置間隔が所定間隔Ｌ以下となる部位（図４の３１Ｃ）。
上記（３）の所定間隔Ｌは、例えば５００ｍｍである。
【００４７】
そして、ブラケット３１が取り付けられた後、図５に示すように、複数の水切本体４１をそれぞれブラケット３１に押し付けて取り付けていく。このとき、ブラケット３１が外壁パネル２１の下端部よりも下方に垂れ下がっていることで、水切本体４１の取付部位が拡張されている。そのため、水切本体１１が取り付け易くなっている。また、ブラケット３１に対する水切本体４１の取り付け作業は押し付け動作のみでよいため、長尺の水切本体４１を両手で支えた状態であっても、その取り付けを容易に行うことができる。
【００４８】
複数の水切本体４１の取り付けに際し、後に取り付けられる水切本体４１は、先に取り付けられた水切本体４１の端部に対して若干の隙間を有した状態で取り付けられる（図５の実線の状態）。そして、その取り付け後、水切本体４１を横方向（水切本体４１の長手方向）にスライドさせることで、各水切本体４１の端部同士が隙間なく当接するようになっている。この状態では、各水切本体４１の両端部及び中間部が複数のブラケット３１によって支持されている。また、水切本体４１同士の繋ぎ合わせ部分に配されたブラケット３１は、２つの水切本体４１に跨ってそれら両水切本体４１を支持している。
【００４９】
なお、水切本体４１同士の繋ぎ合わせ部分には、本体側アーム部４３間に嵌合されてその繋ぎ合わせ部分を連結する断面略コ字状のジョイナー（図示略）が取り付けられてもよい。
【００５０】
以上の取付け手順により水切具１１が下地フレーム２３に取り付けられる。また、上記した建物１０の直線部だけでなく、出隅部や入隅部等においても、ブラケット３１を所定位置に配置させることにより、ほぼ同様の取付手順により取り付けられる。例えば、出隅部であれば、平面視においてＬ字状の水切本体４１が出隅部の角に取り付けられることとなる。
【００５１】
上記のごとく建物１０に取り付けられた水切具１１によれば、図２に示すように、外装材２２の表面と水切板部４２の表面とが略面一になっている。そのため、外装材２２の下縁から流下する雨水等が水切板部４２を伝って、その下端から流下される。これにより雨水等の水分が外壁パネル２１と基礎１２との間から建物１０内へ浸入することを抑制することができる。
【００５２】
また、水切板部４２に形成された傾斜面部４２ｂは、外装材２２の下縁付近まで延びている。そのため、傾斜面部４２ｂによりビス６１が隠され、屋外側から直接見えなくなっている。
【００５３】
鼠返し板部４８の屋内側端部は、基礎１２に接触することなく、基礎１２の天端上方に至るまで延びている。また、基礎１２の天端と鼠返し部４８とに形成される隙間は鼠等の小動物が通過できない程度となっており、床下への鼠等の小動物の侵入が抑制されるようになっている。
【００５４】
以上詳述した本実施形態によれば、以下に示す有利な効果が得られる。
【００５５】
水切本体４１をブラケット３１に取り付けた状態で、ブラケット３１が水切本体４１（詳しくは水切板部４２）により隠れるようにした。これにより、ブラケット３１が屋外から直接見えることはなく建物１０の美観が損なわれることはない。
【００５６】
ブラケット３１をビス６１により外壁パネル２１に取り付けた。これにより、ブラケット３１を外壁パネル２１に強固に取り付けることができる。また、上記のとおり、ブラケット３１が水切本体４１により隠れるため、ビス６１に雨水等が直接かかることはない。その結果、ビス６１が錆びる等の不都合が抑制され、水切具１１の品質を好適に維持することができる。さらに、ビスピッチの乱れ（本実施形態ではブラケット３１の左右両端にビス６１が取り付けられている）が、屋外から見えることもないため、建物１０の美観が損なわれることもない。
【００５７】
ブラケット側アーム部３５を、ブラケット３１の長手方向に同一断面形状で延びる連続体として形成した。本体側アーム部４３も同様に、水切本体４１の長手方向に同一断面形状で延びる連続体として形成した。これにより、ブラケット３１に対する水切本体４１の取り付けや位置調節を容易に行うことができる。具体的には、水切本体４１をブラケット３１が取り付けられている高さに位置合わせさえすれば、ブラケット３１のどこにでも取り付けることができ、また、ブラケット３１に装着した状態で水切本体４１を横方向（水切本体４１の長手方向）にスライドさせて位置調整を行うことができる。
【００５８】
ブラケット側アーム部３５及び本体側アーム部４３の各係合部３６，４４に、傾斜面（図３（ａ）に示すＦ１，Ｆ２）を形成した。これにより、ブラケット３１からの水切本体４１が脱着可能となり、水切本体４１が汚れたり破損したりした場合には、その交換作業を容易に行うことができる。
【００５９】
水切本体４１の水切板部４２に、ブラケット３１を下方から覆う下面板部４６を設けるとともに、その下面板部４６に複数の通気孔４８ａを有する鼠返し板部４８を設けた。これにより、床下換気の効果を損なうことなく、鼠等の小動物の侵入を阻止することができる。また、ブラケット３１を外壁パネル２１に先付けする構成としたため、水切本体４１の取り付け作業に支障が生じることもない。
【００６０】
外壁パネル２１の下端部に、短尺状のブラケット３１を互いに離間して複数取り付け、その複数のブラケット３１に架け渡すようにして水切本体４１を取り付けた。これにより、水切本体４１を安定した状態で保持することができる。
【００６１】
また、ブラケット３１の取り付け箇所を、隣接する２枚の外壁パネル２１の繋ぎ合わせ部分としたことにより、水切具３１の取り付け時点で、外壁パネル２１間で位置ずれが生じていたり、水切具３１の取り付け後に、地震や経年変化等により外壁パネル２１間で位置ずれが生じたりしたとしても、水切本体４１を適正な状態で保持できる。さらに、２つの水切本体４１の繋ぎ合わせ部分にも取り付けたことにより、水切本体４１の端部の浮きが防止される。
【００６２】
［第２の実施形態］
次に、本発明の第２の実施形態について説明する。図６には、本実施形態における水切具７１構成を示す。以下、第１の実施形態と同一の構成は同一符号を付して説明を省略し、第１の実施形態との相違点を中心に説明する。
【００６３】
図６に示すように、水切具７１は、大別してブラケット８１と水切本体９１とを有している。ブラケット８１は、その取付基部８２が下フレーム材２３ａの屋外側角部に当接され、その状態で横辺部８２ｂにてビス６１により下フレーム材２３ａに取り付けられている。その横辺部８２ｂには、奥行方向（図示の横方向）に離間して下方へ延びる一対の支持アーム部８４が一体に形成されている。同様にして、水切本体９１に形成されている下面部９２には、奥行方向（図示の横方向）に離間して上方へ延びる一対の支持アーム部９３が一体に形成されている。
【００６４】
水切本体９１に形成されている屋内側の支持アーム部９３には、基礎１２側へ延びる鼠返し取付部９４が一体に形成され、その鼠返し取付部９４に鼠返し板部９５が設けられている。
【００６５】
これら両支持アーム部８４，９３が互いに係合されることで、水切本体９１がブラケット８１に取り付けられる。
【００６６】
本第２の実施形態では、上記第１の実施形態と同様に、建物１０の美観が損なわれないことや水切本体４１の位置調整が容易である等の優れた効果が得られる。加えて、ビス６１が両支持アーム部８４，９３に囲まれるため、雨水等がかかることはなく、防錆効果を向上させることができる。
【００６７】
［別の実施形態］
以上説明した第１及び第２の実施形態に限らず、例えば、以下に別例として示した形態で実施することもできる。
【００６８】
上記各実施形態では、水切本体４１，９１の背面側に、その長手方向に延びる連続体として支持アーム部４３，９３（起立部）を設けたが、これを変更し、同支持アーム部４３，９３を支柱状に設けてもよい。この場合、支柱状の支持アーム部４３，９３は、水切本体４１，９１の背面側に所定間隔を隔てて複数設けられる。又は、支持アーム部４３，９３を、水切本体４１，９１の短手方向に延びる連続体として形成することも可能である。この水切本体４１，９１側の変更に合わせて、ブラケット３１，８１側の支持アーム部３５，８４の形状を変更するとよい。
【００６９】
上記各実施形態では、ブラケットと水切本体とに、それぞれ起立部としての支持アーム部３５，４３等を設け、その支持アーム部３５，４３等によってブラケットと水切本体とを一体的に結合したが、これを次のように変更する。例えば、図７に示す水切具１０１では、ブラケット１１１の構成が、上述したブラケット３５等とは相違しており、起立部としての支持アーム部３５に代えて本体支持部１１３が設けられている。つまり、ブラケット１１１は、縦辺部１１２ａ及び横辺部１１２ｂからなる取付基部１１２と、その取付基部１１２の横辺部１１２ｂから下方に延設される本体支持部１１３とを有する構成となっている。そして、本体支持部１１３の底面部１１３ａを水切本体４１の下面板部４６に当接させ、その当接部位にてビス６２による締め付け固定を行っている。ブラケット１１１に水切本体４１を組み付ける際には、水切本体４１の位置決め突起部４９が本体支持部１１３に当たることにより、水切本体４１について奥行方向（図示の横方向）の位置決めが行われるようになっている。なおここでは、汎用性を高めるべく第１の実施形態の水切本体４１をそのまま使用したが、その支持アーム部４３は不要であるため、支持アーム部４３を無くした構成に変更することも可能である。
【００７０】
上記各実施形態では、下フレーム材２３ａに対してブラケット３１，８１をビス６１により取り付けたが、これに限定されず、例えば、取付基部３２，８２を下フレーム材２３ａの屋外側角部に当接させて接着固定してもよい。
【００７１】
第１の実施形態では、水切本体４１の下面板部４６に別体の鼠返し板部４８を設けたが、下面板部４６に一体に設けてもよい。
【００７２】
上記各実施形態では、水切具を、いずれもアルミニウム製の押し出し成型品よりなるブラケット（ブラケット３１等）と水切本体（水切本体４１等）とから構成したが、いずれも又は一方を樹脂製により構成してもよい。
【００７３】
工場にてブラケット（ブラケット３１等）を外壁パネル２１に先付けし、その外壁パネル２１を現場に運搬した後、現場にて、先付けしたブラケットに水切本体（水切本体４１等）を取り付けてもよい。
【００７４】
本発明の水切具が取り付けられる建物は、鉄骨軸組工法により建造された建物１０に限定されない。外装材２２の背面に外壁下地が予め組み付けられている外壁パネル２１を建物構造体に組み付けてなる建物であればよい。したがって、外壁下地も上記実施の形態のように溝形鋼の下地フレーム２３でなくてもよく、木材からなる外壁下地などであってもよい。
【図面の簡単な説明】
【００７５】
【図１】第１の実施形態における水切具の概要を示す斜視図。
【図２】水切具が建物に取り付けられている状態を示す縦断面図。
【図３】（ａ）はブラケットと水切本体とが離れている状態を示す縦断面図、（ｂ）はブラケットと水切本体とが結合されている状態を示す縦断面図。
【図４】ブラケットの配置例を示す平面図。
【図５】水切本体のブラケットへの取付け手順を示す斜視図。
【図６】（ａ）は第２の実施形態を示す縦断面図。
【図７】別の実施形態を示す縦断面図。
【符号の説明】
【００７６】
１０…建物、１１…水切具、１２…基礎、２１…外壁パネル、２２…外装材、２３…外壁下地としての下地フレーム、２３ａ…下フレーム材、３１…ブラケット、３４…垂下板部としての支持板部、３５…結合受け部としてのブラケット側支持アーム部、３６…係合部、３６ａ…係合突起、４１…水切本体、４２…水切板部、４３…起立部としての本体側支持アーム部、４４…係合部、４４ａ…係合凹部、４４ｂ…ガイド部、４６…下面板部、４８…鼠返し板部、６１…ビス、Ｆ１…傾斜面、Ｆ２…傾斜面。
【図１】
2008196252.tif 000003
【図２】
2008196252.tif 000004
【図３】
2008196252.tif 000005
【図４】
2008196252.tif 000006
【図５】
2008196252.tif 000007
【図６】
2008196252.tif 000008
【図７】
2008196252.tif 000009